(57)【特許請求の範囲】
【請求項１】
容体に取付けられる筒部と、その筒部に操作可能に挿入される両端を開放した筒状の操作軸と、該操作軸における筒部外の端部に係脱可能に設けられる操作釦と、前記操作軸内面に螺合された調整棒と、前記調整棒における筒部内の端部に一端が連結されたレリースワイヤのインナーワイヤと、前記調整棒における筒部外の端部に設けられた回転用操作部とを備えていることを特徴とする排水栓装置におけるレリースワイヤ長さ調整機構。
【請求項２】
容体に取付けられる筒部と、その筒部に操作可能に挿入される両端を開放した筒状の操作軸と、該操作軸における筒部外の端部に係脱可能に設けられる操作釦と、前記操作軸内面に螺合された調整棒と、前記調整棒における筒部内の端部で一端が押動されるレリースワイヤのインナーワイヤと、該インナーワイヤの筒部内の端部を調整棒における筒部内の端部側に付勢する戻し弾機と、前記調整棒における筒部外の端部に設けられた回転用操作部とを備えていることを特徴とする排水栓装置におけるレリースワイヤ長さ調整機構。
【請求項３】
前記操作軸と調整棒との螺合部を所要範囲に設け、操作軸の内面と調整棒の外面との間に、調整棒捻じ込み時の摩擦抵抗を大きくする手段を設けたことを特徴とする請求項１または２記載の排水栓装置におけるレリースワイヤ長さ調整機構。
【請求項４】
前記操作軸と調整棒との螺合部を所要範囲に設けると共に、前記調整棒における筒部外の端部部位に小径螺軸部を形成し、該小径螺軸部に、調整棒と同軸な操作螺子孔を開孔したロックナットを締結可能に螺着し、該ロックナットに操作釦を係脱可能に設けていることを特徴とする請求項１または２記載の排水栓装置におけるレリースワイヤ長さ調整機構。
【請求項５】
前記操作軸が筒部に対して回転不能に係合されていることを特徴とする請求項１〜４いずれか１項記載の排水栓装置におけるレリースワイヤ長さ調整機構。
【請求項６】
前記回転用操作部が回転工具の係合部であることを特徴とする請求項１または２記載の排水栓装置におけるレリースワイヤ長さ調整機構。
【発明の詳細な説明】
【０００１】
【発明の属する技術分野】
本発明は、浴槽、洗面器等の容体に使用され、それらの排水口から離間した部位からの操作で排水口を開閉する遠隔操作式の排水栓装置におけるレリースワイヤ長さ調整機構に関するものである。
【０００２】
【従来技術】
従来、遠隔操作式の排水栓装置には、操作部を押動する度にレリースワイヤを介して栓蓋が開閉するプッシュタイプと、操作部を押動するとレリースワイヤを介して栓蓋が開栓し、同操作部を引っ張ると栓蓋が閉栓するプルプッシュタイプ双方とがある。
プッシュタイプは、操作部側または排水栓側に押動端でロックとロック解除を交互に繰り返す周知のスラストロック機構（例えば特許第２５４８５００号、２５４８５００号、特開平９−２０３０９５号等）を備え、操作部（詳細には操作釦）を戻し弾機の反発力に抗して押動操作すると、レリースワイヤを進行させて栓蓋用の支持軸を押動すると共にロックして開栓し、再度その操作釦を押動操作すると、ロックを解除して栓蓋を弾機の付勢力や自重で落下させて閉栓する。レリースワイヤのインナーワイヤは、操作部側または排水栓側に設けられた前記戻し弾機によってロック時及びロック解除共に操作部（詳細には操作釦）を押動可能とするように後退（復帰）する。
プルプッシュタイプは、操作部に摺動抵抗部を備え、その摺動抵抗に抗して操作部（操作釦）を押動してレリースワイヤで栓蓋を押し上げて開栓状態を維持し、操作部（操作釦）をその摺動抵抗に抗して引き上げることによって、栓蓋を自重で落下させて閉栓する。
そして、斯様な排水栓装置のレリースワイヤは、アウターチューブを操作部側の筒部下端、排水栓側の案内部下端に各々取付けて内部のインナーワイヤを筒部内及び案内部内に突出させ、インナーワイヤの一端を筒部に操作可能に挿入される操作軸の下端に連結すると共にインナーワイヤの他端を案内部内の栓蓋用の支持軸に接近もしくは当接する関係としている。
【０００３】
ところで、レリースワイヤのアウターチューブは、経年使用によるインナーワイヤとの摩擦抵抗等の関係で僅かながら伸長する。
この現象が生じると、インナーワイヤの案内部内への突出量が変化してスラストロック機構のロック及びロック解除を不確実にして作動不良を起こしたり、栓蓋の開度を小さくして、所定の排水能力を発揮できなくする問題があった。
【０００４】
【発明が解決しようとする課題】
本発明は上記従来事情に鑑みてなされたもので、その目的とする処は、排水栓装置を装着したまま簡単にインナーワイヤの案内部側への突出量の調整が行なえるレリースワイヤ長さ調整機構を提供することにある。
【０００５】
【課題を解決するための手段】
上記目的を解決するために講じた技術的手段は、容体に取付けられる筒部と、その筒部に操作可能に挿入される両端を開放した筒状の操作軸と、該操作軸における筒部外の端部に係脱可能に設けられる操作釦と、前記操作軸内面に螺合された調整棒と、前記調整棒における筒部内の端部に一端が連結されたレリースワイヤのインナーワイヤと、前記調整棒における筒部外の端部に設けられた回転用操作部とを備えていることを特徴とする排水栓装置におけるレリースワイヤ長さ調整機構である（請求項１）。
【０００６】
以上の手段によれば、操作釦を外し、調整棒の一端（筒部外の端部）の回転用操作部を回転してその調整棒を操作軸に対して移動させ、それによってその調整棒他端に連結されているインナーワイヤの排水栓側からの突出量を調整可能にする。
即ち、操作部側や排水栓側にスラストロック機構を有し操作釦の押動の度にロックとロック解除を交互に繰り返して開栓、閉栓する排水栓装置、摺動抵抗に抗する操作釦の押し引きで開栓、閉栓する排水栓装置共に、排水栓の開閉機能を損なうことなく容体外のオープンスペースを利用して調整棒の捻じ込み具合で排水栓側への同ワイヤの突出量を一定になるように調整することができる。
【０００７】
また、容体に取付けられる筒部と、その筒部に操作可能に挿入される両端を開放した筒状の操作軸と、該操作軸における筒部外の端部に係脱可能に設けられる操作釦と、前記操作軸内面に螺合された調整棒と、前記調整棒における筒部内の端部で一端が押動されるレリースワイヤのインナーワイヤと、該インナーワイヤの筒部内の端部を調整棒における筒部内の端部側に付勢する戻し弾機と、前記調整棒における筒部外の端部に設けられた回転用操作部とを備えた構成を採用するも自由なものである（請求項２）。
この請求項２は、操作釦を外し、調整棒の一端（筒部外の端部）の回転用操作部を回転して戻し弾機の反発力でその調整棒の他端（筒部内の端部）に一端が間接的に当接する関係になっているインナーワイヤの内端を戻し弾機の反発力に抗して押動して、同インナーワイヤの排水栓側からの突出量を一定に調整するものであり、操作部側や排水栓側にスラストロック機構を有し操作釦を戻し弾機に抗して押動する度にロックとロック解除を交互に繰り返して開栓、閉栓する排水栓装置に適用される。
【０００８】
以上の手段によれば、スラストロック機構を有する排水栓装置の開閉機能を損なうことなく容体外のオープンスペースを利用して調整棒の捻じ込み具合で排水栓側へのインナーワイヤの突出量を一定になるように調整することができる上、調整棒の捻じ込み時のインナーワイヤの共回りによる捩れを防止する。
【０００９】
そして、操作軸と調整棒との螺合部を所要範囲に設け、操作軸の内面と調整棒の外面との間に、調整棒捻じ込み時の摩擦抵抗を大きくする手段を設けていると好適なものである（請求項３）。
【００１０】
この手段によれば、摩擦抵抗を大きくする手段が調整棒の緩み（回転）を防止して、排水栓側からのインナーワイヤの調整突出量を保証する。
【００１１】
また、操作軸と調整棒との螺合部を所要範囲に設けると共に、前記調整棒における筒部外の端部部位に小径螺軸部を形成し、該小径螺軸部に、調整棒と同軸な操作螺子孔を開孔したロックナットを締結可能に螺着し、該ロックナットに操作釦を係脱可能に設けた構成であっても良いものである（請求項４）。
【００１２】
この手段では、操作釦を外し、ロックナットを緩めたり、外して、調整棒の一端（筒部外の端部）の回転用操作部を回転してその調整棒を操作軸に対して移動させ、それによってその調整棒他端に連結されているインナーワイヤの排水栓側からの突出量を調整した後、小径螺軸部にロックナットを操作軸一端（筒部外の端部）に締結することによって調整棒を回転不能にロックする。
【００１３】
更に、操作軸が筒部に対して回転不能に係合されていると（請求項５）、調整棒の回転時に操作軸が共回りすることを阻止して、調整作業を容易にし、また回転用操作部が回転工具の係合部であると（請求項６）、ドライバー等の簡易工具を使用してその調整作業が行なえる。
【００１４】
【発明の実施の形態】
次に、本発明排水栓装置におけるレリースワイヤ長さ調整機構の実施の形態を説明する。
図１〜図４は第１の実施の形態を、図５は第２の実施の形態を、図６は第３の実施の形態を、図７は第４の実施の形態を、図８は第５の実施の形態を、図９は第６の実施の形態を、図１０は第７の実施の形態を、図１１は第８の実施の形態を各々示している。まず、第１の実施の形態を説明すると、符号Ａは排水栓装置である。
【００１５】
排水栓装置Ａは、図１に示すように排水栓１側にスラストロック機構Ｓを有し、操作部２からの押動操作力をレリースワイヤＷを介してそのスラストロック機構Ｓに伝達して栓蓋１１の支持軸２１を上昇させて上昇端でロック（開栓）と、ロック（閉栓）解除とを交互に繰り返す周知の構成になっており、符号９２は操作部２と排水栓１とを連絡するガイドチューブであり、このガイドチューブ９２内にレリースワイヤＷが挿通されている。
【００１６】
排水栓１は、排水口ｂ１に設けられ排水口部材ｂ２の口芯部分に抜き差し可能に取付けられる案内部３１内にスラストロック機構Ｓを内装すると共に、そのスラストロック機構Ｓで栓蓋１１の支持軸２１を支承可能とし、その案内部３１の下端にレリースワイヤＷにおけるアウターチューブＷ１の下端を連結して、インナーワイヤＷ２のみを案内部３１内に進入させた構成になっていること従来と同様である。
案内部３１側については、案内部３１下端にジョイント金具１０を介してアウターチューブＷ１を固定し、そのジョイント金具１０に設けられたプランジャーガイド１０ａでインナーワイヤＷ２の下端側をガイドする構成になっている。
【００１７】
操作部２は、図１、図２に示すように浴槽や洗面器等の容体Ｂの上縁面や上縁面の吊持状に設けられた上方開放型のボックス底に取付けられた筒部１２と、その筒部１２に押動操作可能に挿入される操作軸２２と、該操作軸２２における筒部１２外の端部に係脱可能に設けられる操作釦３２と、前記筒部１２の下端にアウターチューブＷ１の上端を連結して筒部１２内に進入するインナーワイヤＷ２が操作軸２２で間接的に押動可能とされるレリースワイヤＷと、前記操作軸２２と筒部１２底（下端面）との間に介在された戻し弾機４２とを備えた構成になっている。
【００１８】
前記スラストロック機構Ｓを簡単に説明すると、栓蓋１１の支持軸２１下端に固定された固定歯Ｓ１と、その固定歯Ｓ１上に同軸をもって回転可能に設けられた回転歯Ｓ２と、案内部３１の内壁に設けられた鋸歯Ｓ３とから構成されている。
そして、操作釦３２を押動操作してインナーワイヤＷ２で支持軸２１が上方に押動されると、固定歯Ｓ２と共に回転歯Ｓ１が鋸歯Ｓ３間の溝（図示せず）をガイドとして上昇し鋸歯Ｓ３上まで回転歯Ｓ１が上昇した時点で固定歯Ｓ１との係合によって若干回転歯Ｓ２が回転し、押動操作を停止すると鋸歯Ｓ３に同回転歯Ｓ２が係合してロックして栓蓋１１を開栓し、再度インナーワイヤＷ２で支持軸２１が上方に押動されると固定歯Ｓ１で回転歯Ｓ２を若干回転しつつ上昇させ、押動操作を停止すると回転歯Ｓ２が栓蓋１１、支持軸２１、固定歯Ｓ１を含む自重などを受けて鋸歯Ｓ３に係合して若干回転した後、同鋸歯Ｓ３の溝（図示せず）ガイドにして固定歯Ｓ１と共に落下してロックを解除して栓蓋１１を閉栓するものである。
【００１９】
従って、斯かる排水栓装置Ａは、操作釦３２を押動操作すると、操作軸２２が戻し弾機４２の反発力に抗して下降して、インナーワイヤＷ２の上端側を押し下げ、下端側を押し上げて上記のようにスラストロック機構Ｓが上昇端でロックして栓蓋１１を開栓し、再度操作釦３２を押動操作すると、インナーワイヤＷ２の下端側が上昇して上記のようにスラストロック機構Ｓのロックが解除して栓蓋１１を閉栓する。
【００２０】
本実施の形態排水栓装置におけるレリースワイヤ長さ調整機構は、図２に示すように前記筒部１２と、その筒部１２に操作可能に挿入される両端を開放した前記筒状の操作軸２２と、該操作軸２２における筒部１２外の端部に係脱可能に設けられる操作釦３２と、前記操作軸２２内面に螺合された調整棒３と、前記調整棒３における筒部１２内の端部に一端が連結されたレリースワイヤＷのインナーワイヤＷ２と、前記調整棒３における筒部１２外の端部に設けられた回転用操作部４とから構成されている。
【００２１】
前記操作軸２２は、上端に操作釦３２を係脱させる係合部２２ａを形成し、下端近傍部分に筒部１２上端（天井）に係止する抜け止め鍔部２２ｂを周設すると共に、下端側内周面の所要範囲に螺子部２２ｃを突設し、この螺子部２２ｃに調整棒３が螺合されている。
【００２２】
前記調整棒３は、前記操作軸２２よりも若干長尺に形成され、下端を操作軸２２よりも突出させて前記操作軸２２の螺子部２２ｃに外周面に螺設された螺子部３ａを螺合し、その螺子部３ａよりも上位の部分を操作軸２２の内径よりも小径とし、下端にレリースワイヤＷのインナーワイヤＷ２上端が連結されている。
【００２３】
前記操作軸２２と調整軸３の螺子部２２c、３ａで構成される螺合部５は２ｃｍ程度確保されている。
【００２４】
前記回転用操作部４は、調整棒３の上端に形成されている。本実施の形態ではマイナスドライバー（回転工具）８を係合させる係合部になっている。
【００２５】
従って、長期的使用や経年変化でアウターチューブＷ１が伸長して常態時（閉栓時）の案内部３１内へのインナーワイヤＷ２の突出量が減少し、操作釦３２の動操作してもスラストロック機構Ｓを良好に作動できる程、回転歯Ｓ１を上昇できない時には、前記操作釦３２を係合力に抗して人為的に操作軸２２先端から外し、操作軸２２の上端開口からマイナスドライバー８を差し入れて回動用操作部４に係合し回転させて調整棒３を螺合部５の範囲で下降させてインナーワイヤＷ２の案内部３１内への突出量をスラストロック機構Ｓの作動を阻害することのない一定量に調整することができる（図３、図４参照）。
【００２６】
次に、図５に示す第２の実施の形態を説明すると、この実施の形態は、前記螺合部５を除く操作軸２２の内周面と調整棒３の外周面との間に、調整棒３捻じ込み時の摩擦抵抗を大きくする手段６を設けて調整棒３を緩み止め難くした例である。
【００２７】
調整棒３捻じ込み時の摩擦抵抗を大きくする手段６は、ゴムブッシュ、軟質樹脂、シリコンシーラント等の接着剤等であり、操作軸２２の内周面または調整棒３の外周面に被覆状に設けて、相手側との摩擦抵抗を大きくしてインナーワイヤＷ２の案内部３１内への突出量を一定量に調整した後の調整棒３自体の遊び回転を起き難くして、インナーワイヤＷ２の調整突出量を一定に維持するようになっている。
尚、この摩擦抵抗を大きくする手段６は、前記螺合部５に接着材を塗布して形成しても構わないものである。
【００２８】
次に、図６に示す第３の実施の形態を説明すると、この実施の形態は、前記ような摩擦抵抗を大きくする手段６を設けずにインナーワイヤＷ２の前記調整突出量を保証する例であり、前記する第１の実施の形態において調整棒３の筒部１２外の端部部位に操作軸２２内面に干渉しない小径螺軸部２２ｄを形成し、該小径螺軸部２２ｄに、調整棒３と同軸な操作螺子孔１７を開孔したロックナット７を締結可能に螺着した構成を採用している。
尚、本実施の形態においては、螺子部３ａを除く全ての操作軸２２内径よりも小径にしている。
【００２９】
ロックナット７には、前記第１の実施の形態と同様に操作釦３２を係脱させる係合部２２ａが形成されている。
【００３０】
この実施の形態では、操作釦３２を外し、ロックナット７を緩めたり、外した後、前記する第１の実施の形態と同様に操作軸２２の上端開口からマイナスドライバー８を差し入れて回動用操作部４に係合し回転させて調整棒３を螺合部５の範囲で下降させてインナーワイヤＷ２の案内部３１内への突出量を一定に調整した後、再度ロックナット７を締結することによって、調整棒３の遊び回転が全く起きないようにすることができる（図６（ａ）（ｂ）参照）。
【００３１】
次に、図７に示す第４の実施の形態を説明すると、この実施の形態は、調整棒３をドライバー８等の工具で回転操作する際の操作軸２２の共回り防止する例である。
この実施の形態では、前記筒部１２の内部空間の横断面形状を図示するように角形にすると共に前記抜け止め鍔部２２ｂをそれに一致横断面形状に形成して対応している。
尚、操作軸２２の外形を角形とし、筒部１２の上端壁（天井壁）に設けられた操作軸２２の挿通部を操作軸２２外形と同形にして対処しても良いものである。
【００３２】
次に図８に示す第５の実施の形態を説明すると、この実施の形態は前記するスラストロック機構Ｓを操作部２側に設けた例を示している。
【００３３】
排水栓装置Ａは、操作部２側にスラストロック機構Ｓを有し、操作部２からの押動操作力をレリースワイヤＷを介して排水栓１側に伝達して栓蓋１１の支持軸２１を上昇させる下降端でロック（開栓）と、ロック（閉栓）解除とを交互に繰り返す周知の構成になっている。
【００３４】
排水栓１は、排水口（図示せず）に設けられ排水口部材ｂ２の口芯部分に抜き差し可能に取付けられる案内部３１下端にレリースワイヤＷにおけるアウターチューブＷ１の下端を連結して、インナーワイヤＷ２のみを案内部３１内に進入させ、そのインナーワイヤＷ２で案内される栓蓋１１の支持軸２１が上下に案内される構成になっていること従来と同様である。
【００３５】
操作部２は、浴槽や洗面器等の容体Ｂの上縁面や上縁面の吊持状に設けられた上方開放型のボックス底に取付けられた筒部１２と、その筒部１２に押動操作可能に挿入される操作軸２２と、該操作軸２２における筒部１２外の端部に係脱可能に設けられる操作釦３２と、前記筒部１２と操作軸２２に亘って設けられたスラストロック機構Ｓと、前記筒部１２の下端にアウターチューブＷ１の上端を連結して筒部１２内に進入するインナーワイヤＳ２が操作軸２２で間接的に押動可能されるレリースワイヤＷと、前記操作軸２２と筒部１２下端（底）との間に介在された戻し弾機４２とを備えている。
【００３６】
前記スラストロック機構Ｓは、前記第１の実施の形態と機能を同じくするものであるが、向きを逆にするため簡単に説明すると、操作軸２２において筒部１２内上端部分に固定された固定歯Ｓ１と、その固定歯Ｓ１下位に同軸をもって回転可能に操作軸２２に設けられた回転歯Ｓ２と、筒部１２の内壁に設けられた鋸歯Ｓ３とから構成されている。
そして、操作釦３２を押動操作してインナーワイヤＷ２で栓蓋１１の支持軸２１が上方に押動されると固定歯Ｓ１と共に回転歯Ｓ２が鋸歯Ｓ３間の溝（図示せず）をガイドとして下降すると共に鋸歯Ｓ３下位に回転歯Ｓ２が位置した時点で固定歯Ｓ１との係合によって若干回転歯Ｓ２が回転し、押動操作を停止すると戻し弾機４２の反発力を受けて鋸歯Ｓ３に同回転歯Ｓ２が係合してロックして栓蓋１１を開栓し、再度操作釦３２を押動操作してインナーワイヤＷで支持軸２１を上方に押動されると固定歯Ｓ１で回転歯Ｓ２が若干回転しつつ下降され、押動操作を停止すると回転歯Ｓ２が鋸歯Ｓ３に係合して若干回転し同鋸歯Ｓ３の溝をガイドにして固定歯Ｓ１と共に筒部１２の上端（天井）側に落下しロックを解除して栓蓋１１を閉栓するようになっている。
符号９は、戻し弾機４２の上端を係止すべく操作軸２２から突設した係止鍔２２ｅと回転歯Ｓ２との間に介在された付勢弾機で、回転歯Ｓ２を鋸歯Ｓ３に確実に係止させる働きを有するものである。
【００３７】
本実施の形態排水栓装置におけるレリースワイヤ長さ調整機構も、前記第1の実施の形態と同様に筒部１２と、その筒部１２に操作可能に挿入される両端を開放した筒状の操作軸２２と、該操作軸２２における筒部１２外の端部に係脱可能に設けられる操作釦３２と、前記操作軸２２内面に螺合された調整棒３と、前記調整棒３における筒部１２内の端部に一端が連結されたレリースワイヤＷのインナーワイヤＷ２と、前記調整棒３における筒部１２外の端部に設けられた回転用操作部４とから構成されているため、同一構成については同一符号を付して説明は省略する。
【００３８】
この実施の形態の場合には、固定歯Ｓ１が筒部１２内面に設けた鋸歯Ｓ３の溝に案内される構成のため、操作軸２２は回転不能になっており、また前記第１の実施の形態と同様に上下を開口した筒状の操作軸２２に調整棒３を螺合し、その調整棒３の下端、即ち調整棒３からの突出端にインナーワイヤＷ２の上端側を連結すると共に、操作軸２２の内面、調整棒３の外面の所要範囲に相互に螺合する螺合部５を形成し、第２の実施の形態と同様にゴムブッシュ、軟質樹脂、シリコンシーラント等の接着剤等の摩擦抵抗を大きくする手段６を設けている。
【００３９】
従って、長期的使用や経年変化でアウターチューブＷ１が伸長して常態時（閉栓時）の案内部３１内へのインナーワイヤＷ２の突出量が減少した時には、操作釦３２を係合力に抗して人為的に操作軸２２から外し、操作軸２２の上端開口からマイナスドライバー８を差し入れて回動用操作部４に係合し回転させて調整棒３を螺合部５の範囲で下降させて案内部３１内へのインナーワイヤＷ２の下端側の突出量を一定量に調整することができる（図８参照）。
そして、操作軸２２と調整棒３との間に設けられ調整棒３捻じ込み時の摩擦抵抗を大きくする手段６が、インナーワイヤＷ２の案内部３１内への突出量を一定に調整した後の調整棒３自体の遊び回転を起き難くして、インナーワイヤＷ２の調整突出量を一定に維持するようになっている。
【００４０】
更に、図９に示す第６の実施の形態を説明すると、この実施の形態は、前記第５の実施の形態において摩擦抵抗を大きくする手段６の代わりに、前記第３の実施の形態を付加した例であるため、同一符号を付して具体的な説明は省略する。
【００４１】
尚、各実施の形態において、符号１０‘は筒部１２下端にレリースワイヤＷにおけるアウターチューブＷ１を連結するためにジョイント金具である。
【００４２】
続いて、図１０に示す第７の実施の形態は、スラストロック機構Ｓのような開閉機構を使用せずに筒部１２内に設けた摺動抵抗部Ｒの摺動抵抗に抗して操作軸２２が押し引きされて、栓蓋１１が開閉されるプルプッシュ方式の排水栓装置におけるレリースワイヤ長さ調整機構を示している。
【００４３】
この実施の形態は、前記第1の実施の形態における戻し弾機４２を排除し、その代わりに操作軸２２が抵抗を受けて摺動する摺動抵抗部（案内筒部）Ｒを設けている。
【００４４】
摺動抵抗部Ｒは、図示するように操作釦３２を人為的に押動した時、操作軸２２がその押動位置をキープし、引っ張った時にも同様に操作軸がその引っ張り位置をキープする程度の摺動抵抗を操作軸２２外周面との間に発揮するようになっている。本実施の形態では、レリースワイヤＷの押動範囲は抜け止め鍔部２２ｂが前記摺動抵抗部Ｒの上端に当接するまでに設定されている。
【００４５】
レリースワイヤ長さ調整機構は、前記する各実施の形態どれを採用しても勿論任意なものである。
【００４６】
次に図１１に示す第８の実施の形態を説明すると、この実施の形態は、前記する第１〜第６の実施の形態のようにインナーワイヤＷ２の筒部１２側の内端を調整棒３に連結するものではなく、インナーワイヤＷ２の筒部１２側内端を受け駒２２ｆで支持し、その受け駒２２ｆを操作軸２２に対して捻じ込みによって移動する調整棒３で押動可能にした例を示している。
この実施の形態において、戻し弾機４２の一端（上端）を受け駒２２ｆで支持している。
尚、操作部２側にスラストロック機構を有する場合には、その構成部材である固定歯（図示せず）、回転歯（図示せず）は、図１１に示す抜け止め鍔部２２ｂと操作軸４における筒部１２内端の鍔部２２ｇとの間に配設する。また、操作部側にスラストロック機構がない場合には、前記鍔２２ｇを抜け止め鍔部２２ｂとして使用すれば良いものである。
この実施の形態にあっては、調整棒３とインナーワイヤＷ２とが分離して戻し弾機４２の反発力で間接的に当接関係を構成し、インナーワイヤＷ２の排水栓１側からの突出量を一定に調整する際に、インナーワイヤＷ２を回転させることがない。
尚、他の構成は、前記する第１〜第６の実施の形態と同様であるため、同一符号を付して具体的な説明は省略するが、調整棒の緩みを防止するために、第２の実施の形態で示すように摩擦抵抗を大きくする手段を設けたり、その代わりに第３の実施の形態のようにロックナットを使用可能にしたり、第４の実施の形態のように回り止め構造を採用したりすること自由なものであり、図１１に示す構造のみに限定されるものではないこと言うまでもないものである。
【００４７】
尚、本発明は、例えば浴槽（容体）の上縁面ではなく、浴槽側壁に操作部が設けられる排水詮装置のレリースワイヤ長さ調整機構をも対象とするものである。
【００４８】
【発明の効果】
本発明は以上のように構成した排水栓装置であるから、操作釦を外し、操作軸の上部開口内に存在する調整棒の端部（回転用操作部）を容体外のオープンスペースを利用して回転させるだけで、調整棒が操作軸に対して移動してインナーワイヤの排水栓側からの突出量を調整可能でき、調整操作が非常に簡単である。
【００４９】
しかも、前記操作軸内面に螺合された調整棒と、前記調整棒における筒部内の端部に対してインナーワイヤとを分離し、該インナーワイヤを筒部内の端部を調整棒における筒部内の端部側に戻し弾機で付勢する構成にしたものにあっては、操作部側や排水栓側にスラストロック機構を有し操作釦を戻し弾機に抗して押動する度にロックとロック解除を交互に繰り返して開栓、閉栓する排水栓装置において、インナーワイヤの排水栓側からの突出量調整がインナーワイヤを回転させずに行え、同インナーワイヤが捩れることがなく作動が非常に良好になる。
【００５０】
しかも、操作軸と調整棒との螺合部を所要範囲に設け、操作軸の内面と調整棒の外面との間に、調整棒捻じ込み時の摩擦抵抗を大きくする手段を設けていると、インナーワイヤの突出量を調整した後の調整棒の緩み（回転）が防止され、インナーワイヤの調整突出量を一定の保証する上で有効である。
【００５１】
また、操作軸と調整棒との螺合部を所要範囲に設けると共に、前記調整棒における筒部外の端部部位に小径螺軸部を形成し、該小径螺軸部に、調整棒と同軸な操作螺子孔を開孔したロックナットを締結可能に螺着し、該ロックナットに操作釦を係脱可能に設けた構成にしたものにあっては、インナーワイヤの突出量を一定に調整した後、インナーワイヤのその調整突出量が変化しないように調整棒を回転不能にロックすることができる。
【００５２】
その上、操作軸を筒部に対して回転不能に係合している場合には、操作軸を敢えて把持せずとも調整棒を回転操作でき、操作性が著しく向上するし、回転用操作部が回転工具の係合部であると、ドライバー等の簡易工具を使用して家庭でも簡単に調整することができる。
【図面の簡単な説明】
【図１】第１の実施の形態の正面断面図で中間省略して概略的に示す。
【図２】要部の部分拡大断面図。
【図３】回転工具と回転用操作部との関係を示す斜視図で、（ａ）は、回転工具であるドライバーを挿入しようとする状態を示す、（ｂ）は、回転させてインナーワイヤの突出量を調整している状態を示す。
【図４】レリースワイヤ長さ調整機構と、案内部内のインナーワイヤとの関係を示す調整状態を示す正面断面図で、中間省略し概略的に示す。
【図５】第２の実施の形態の要部を示す部分断面図で、調整状態を示す。
【図６】第３の実施の形態の要部を示す部分断面図で、（ａ）は、ロックナットを外してドライバーで調整棒を回転操作している状態を示し、（ｂ）は、ロックナットをロックしている状態を示す。
【図７】第４の実施の形態を示す（７）−（７）線拡大断面図。
【図８】第５の実施の形態を示す正面断面図で中間省略して示す。
【図９】第６の実施の形態の部分拡大断面図。
【図１０】第７の実施の形態の部分拡大断面図。
【図１１】第８の実施の形態の要部の部分断面図。
【符号の説明】
Ａ：排水栓装置                        Ｂ：容体
２２：操作軸                          １２：筒部
３２：操作釦                            ３：調整棒
Ｗ：レリースワイヤ                  Ｗ１：アウターチューブ
Ｗ２：インナーワイヤ                  ４：回転用操作部
５：螺合部                          ６：摩擦抵抗を大きくする手段
２２ｄ：小径螺軸部                      ７：ロックナット
１７：操作螺子孔                      ８：回転工具（ドライバー）
２２ａ：係合部                          ４２：戻し弾機
【図１】
0004766798.tif 000002
【図２】
0004766798.tif 000003
【図３】
0004766798.tif 000004
【図４】
0004766798.tif 000005
【図５】
0004766798.tif 000006
【図６】
0004766798.tif 000007
【図７】
0004766798.tif 000008
【図８】
0004766798.tif 000009
【図９】
0004766798.tif 000010
【図１０】
0004766798.tif 000011
【図１１】
0004766798.tif 000012